(57)【要約】【課題】ブロック成形体製造時およびブロック成形体設置後における内蔵ＩＣタグへの悪影響を最小限とすることができる歩行者に情報を提供する歩道設置ブロックの提供。【解決手段】表面に突起を有し、その突起部に足先が触れることで歩行者を誘導するブロック成形体の内部に、送受信アンテナとＩＣチップを備え、外層樹脂封止されたＩＣタグを内蔵する歩行者に情報を提供する歩道設置ブロック。【選択図】  図３
2005030053.tif 000002
【特許請求の範囲】
【請求項１】
表面に突起を有し、その突起部に足先が触れることで歩行者を誘導するブロック成形体の内部に、送受信アンテナとＩＣチップを備え、外層樹脂封止されたＩＣタグを内蔵することを特徴とする歩行者に情報を提供する歩道設置ブロック。
【請求項２】
前記ブロック成形体は、着色コンクリート層と裏部コンクリート層を有し、送受信アンテナにより区画された面の一部が中抜きされた構造の外層樹脂封止されたＩＣタグが、前記着色コンクリート層と前記裏部コンクリート層との境界部近くに埋設されている請求項１記載の歩行者に情報を提供する歩道設置ブロック。
【請求項３】
前記ブロック成形体は、着色コンクリート層と裏部コンクリート層を有し、前記外層樹脂封止されたＩＣタグはその一部を露出して、前記着色コンクリート層に埋設されている請求項１記載の歩行者に情報を提供する歩道設置ブロック。
【請求項４】
前記ブロック成形体は、着色コンクリート層と裏部コンクリート層を有し、着色コンクリート層側に脚部を有する外層樹脂封止されたＩＣタグが前記着色コンクリート層に埋設されている請求項１記載の歩行者に情報を提供する歩道設置ブロック。
【発明の詳細な説明】
【０００１】
【発明の属する技術分野】
本発明は、表面に突起部を有し、その突起部に足先が触れることで歩行者を誘導すると共に、非接触通信により歩行者に識別情報などを提供する歩道設置ブロックに関するものである。
【０００２】
【従来の技術】
視覚障害者が歩行する場合、白杖を使用し、歩行先の状況を探ることにより安全を確保しつつ歩行し、場合によっては、点字ブロックの点状または線状の突起を足先で触れることにより、歩行情報を得ている。このため、歩行中に視覚障害者に提供される情報は限られたものとなっており、一人で行動可能な範囲は制限されている状況にある。近年、点字ブロックに、アンテナコイルと電子部品（不揮発性メモリ）とを一体化したＩＣタグを内蔵させ、白杖状のリーダ／ライタとの非接触通信により歩行者に情報を提供する方法が提案されている（例えば、特許文献１）。
【０００３】
ここで、点字ブロックなどの歩道設置ブロックは、一般に、周囲環境との調和のため着色コンクリートが使用されるが、低コスト化のため、着色コンクリートの裏面に無着色の裏部コンクリートを接合した複合構造のブロック成形体が使用されている。このブロック成形体は、図１２（ａ）〜（ｄ）に示すようにして製造されている。まず、図１２（ａ）に示すような型枠１２１を用意し、この型枠１２１内に、図１２（ｂ）に示すように、着色料をコンクリート材料に練り込んで所望の着色を施した着色コンクリート１２２を流し込む。次に、図１２（ｃ）に示すように、裏部コンクリート１２３を流し込み、コンクリートが硬化したした後、型枠１２１から取り外し、図１２（ｄ）に示すように、着色コンクリート層１２４と裏部コンクリート層１２５を有する歩道設置ブロック成形体１２６を得ている。
【０００４】
【特許文献１】
特開２００２−１６５８２５号公報
【０００５】
【発明が解決しようとする課題】
ＩＣタグを歩道設置ブロック成形体１２６に内蔵させる場合、ＩＣタグは、硬化前の水分を含んだコンクリートの中に埋設され、硬化に際しては収縮応力が作用することになる。また、歩道設置ブロック成形体１２６は、気象状況の影響を受けやすい屋外に設置され、しかも歩行者に踏まれるなど、厳しい状況に晒されることになる。
【０００６】
さらに、着色コンクリート層１２４と裏部コンクリート層１２５を有する歩道設置ブロック成形体１２６の製造に際しては、裏部コンクリート１２３の水分の量を多くし、成形後に裏部コンクリート１２３の水分が着色コンクリート１２２側へ親和することにより、着色コンクリート１２２と裏部コンクリート１２３との界面を接合させ、良好なブロック成形体１２６を得ている。したがって、ＩＣタグを内蔵させる場合、着色コンクリート層１２４と裏部コンクリート層１２５との界面の良好な接合を崩さないよう考慮する必要がある。
【０００７】
本発明は、上記に基づいてなされたもので、ブロック成形体製造時における内蔵ＩＣタグへの悪影響を最小限とすることができる歩行者に情報を提供する歩道設置ブロックの提供を目的とする。また、本発明は、設置後におけるＩＣタグに対する外部環境の悪影響を防止することができる歩行者に情報を提供する歩道設置ブロックの提供を目的とする。さらに、本発明は、ＩＣタグの内蔵によるブロック成形体への悪影響を最小限とすることができる歩行者に情報を提供する歩道設置ブロックの提供を目的とする。
【０００８】
【課題を解決するための手段】
上記目的を達成するため、本発明は、表面に突起を有し、その突起部に足先が触れることで歩行者を誘導するブロック成形体の内部に、送受信アンテナとＩＣチップを備え、外層樹脂封止されたＩＣタグを内蔵する歩行者に情報を提供する歩道設置ブロックを提供する。
【０００９】
外層樹脂封止されたＩＣタグを内蔵することにより、ブロック成形体製造時およびブロック成形体設置後に受ける種々の悪影響（温度変化、水分の流入、加圧など）からＩＣタグを保護し、歩行者への安定した情報提供が可能となる。
【００１０】
また、本発明は、上記目的を達成するため、送受信アンテナにより区画された面の一部が中抜きされた構造の外層樹脂封止されたＩＣタグが、着色コンクリート層と裏部コンクリート層との境界部近くに埋設されている歩行者に情報を提供する歩道設置ブロックを提供する。
【００１１】
送受信アンテナにより区画された面の一部が中抜きされた構造の外層樹脂封止されたＩＣタグを内蔵することにより、裏部コンクリートの水分が着色コンクリート側へ親和し、着色コンクリートと裏部コンクリートとの界面が接合した、良好なブロック成形体を得ることができる。
【００１２】
また、本発明は、上記目的を達成するため、外層樹脂封止されたＩＣタグはその一部を露出して、着色コンクリート層に埋設されている歩行者に情報を提供する歩道設置ブロックを提供する。
【００１３】
外層樹脂封止されたＩＣタグは着色コンクリート層に埋設されているため、裏部コンクリートの水分は着色コンクリートへ親和し、着色コンクリートと裏部コンクリートとの界面が接合した、良好なブロック成形体を得ることができる。また、外層樹脂封止されたＩＣタグは一部を露出して埋設されているため、ブロック成形体による信号の減衰は最小限に抑えられるため、良好な情報の提供が可能となる。
【００１４】
また、本発明は、着色コンクリート層側に脚部を有する外層樹脂封止されたＩＣタグが着色コンクリート層に埋設されている歩行者に情報を提供する歩道設置ブロックを提供する。
【００１５】
着色コンクリート層側に脚部を有する外層樹脂封止されたＩＣタグが着色コンクリート層に埋設されているため、裏部コンクリートの水分は着色コンクリートへ親和し、着色コンクリートと裏部コンクリートとの界面が接合した、良好なブロック成形体を得ることができる。
【００１６】
【発明の実施の形態】
本発明において、ブロック成形体は、従来通り、着色コンクリートと裏部コンクリートを順次型枠に流し込むことにより製造される。ブロック成形体に内蔵される外層樹脂封止ＩＣタグの外層を形成する樹脂としては、アクリロブタジエンスチレン樹脂、塩化ビニル樹脂、ポリエチレンテレフタレート、ポリフェニレンスルフィド、エポキシ樹脂、ウレタン樹脂、シリコーン樹脂、ポリブチレンテレフタレート、ポリカーボネート、アクリル樹脂などをあげることができる。これらの樹脂を、射出成形などにより送受信アンテナとＩＣチップを備えるＩＣタグの外周に成形することにより、外層樹脂封止されたＩＣタグが得られる。
【００１７】
図１〜図３を参照して、本発明の一実施の形態（第一実施形態）を説明する。まず、図１および図２を参照して、本発明において使用される外層樹脂封止ＩＣタグの一実施の形態を説明すると、図１に示すように、エナメル線を複数ターン巻回したコイルからなる送受信アンテナ２の端末にＩＣチップ３を接続することにより、ＩＣタグ１が形成され、次に、図２に示すように、ＩＣタグ１の外周に射出成形により樹脂４を成形することにより外層樹脂封止ＩＣタグ５が形成される。
【００１８】
外層樹脂封止ＩＣタグ５を着色コンクリート層６と裏部コンクリート層７の間に埋設することにより、ブロック成形体（歩道設置ブロック）８が得られる。このような構成のブロック成形体であると、ＩＣタグ１は、樹脂４により保護されているため、ブロック成形体製造時における水分の影響や硬化応力の影響を最小限とすることができ、また、設置後における降雨や気温変化による影響および歩行者等の重量による影響を最小限とすることができ、情報を安定して提供することが可能となる。
【００１９】
なお、第一実施形態のように、着色コンクリート層６のほぼ全面をカバーするように外層樹脂封止ＩＣタグ５を設置すると、前述したように着色コンクリート層６と裏部コンクリート層７との接合強度が低下する可能性がある。このような問題を解決する実施形態を次に説明する。
【００２０】
図４および図５を参照して、本発明の他の実施の形態（第二実施形態）を説明する。本実施の形態は、図４に示すように送受信アンテナ２により区画された面の一部を中抜きして内部空間９を形成した外層樹脂封止ＩＣタグ４５を使用したものである。外層樹脂封止ＩＣタグ４５の横幅ａおよび縦幅ｂを、ブロック成形体の横幅および縦幅よりもそれぞれ１０ｍｍ〜３０ｍｍ小さくし、また、枠幅ｃを５ｍｍ〜２０ｍｍとすることにより、着色コンクリート層と裏部コンクリート層とが十分に接合し、硬化状態も良好なブロック成形体を得ることができる。
【００２１】
このような構造の外層樹脂封止ＩＣタグ４５を使用してブロック成形体を製造する方法を図５を参照して説明すると、図５（ａ）に示すように、型枠５１内に流し込まれた着色コンクリート５２の上に外層樹脂封止ＩＣタグ４５を置き、その上に裏部コンクリート５３を流し込み、硬化後型枠５１を取り外すと、図５（ｂ）に示すように、着色コンクリート層５６と裏部コンクリート層５７との間に、外層樹脂封止ＩＣタグ４５が埋設されたブロック成形体５８が得られる。外層樹脂封止ＩＣタグ４５の中抜きにより形成した内部空間９にも裏部コンクリート５３が流し込まれるため、裏部コンクリート５３に含まれる水分は着色コンクリート５２側へ親和し、双方の界面の良好な接合が達成される。
【００２２】
図６および図７を参照して、本発明の他の実施の形態（第三実施形態）を説明する。本実施の形態は、図６に示すように外層樹脂封止ＩＣタグ６５の一方面を露出させるようにして着色コンクリート層６６に埋め込んでブロック成形体６８を形成したものである。本実施の形態では、外層樹脂封止ＩＣタグ６５は、図４で説明した外層樹脂封止ＩＣタグと同様に、受信アンテナにより区画された面の一部が中抜きされたものが使用され、裏部コンクリートに含まれる水分は着色コンクリート側へ親和し、双方の界面の良好な接合が達成される。また、外層樹脂封止ＩＣタグ６５は一部を露出して埋設されているため、ブロック成形体による信号の減衰は最小限に抑えられるため、良好な情報の提供が可能となる。
【００２３】
このような構造のブロック成形体６８の製造方法を図７を参照して説明すると、図７（ａ）に示すように、型枠７１に内に外層樹脂封止ＩＣタグ６５を配置し、ここに、着色コンクリート７２および裏部コンクリート７３を順次流し込み、硬化後型枠７１を取り外すと、図６に示すようなブロック成形体６８が得られる。
【００２４】
図８は、他の実施の形態（第四実施形態）を示すものであり、外層樹脂封止ＩＣタグ８５をブロック成形体８８の外縁に沿って配置したものであり、ＩＣタグの通信領域がブロック成形体８８全体をカバーできるようになる。このようなブロック成形体８８は、図７に示した方法と同様にして製造することができる。
【００２５】
図９は、他の実施の形態（第五実施形態）を示すものであり、外層樹脂封止ＩＣタグ９５をブロック成形体９８の外縁に沿って配置し、外層樹脂封止ＩＣタグ９５にブロック成形体９８との嵌合部１０を設けたもので、これによって、外層樹脂封止ＩＣタグ９５がブロック成形体９８から脱落するのを防止できるようになる。
【００２６】
図１０および図１１を参照して、本発明の他の実施の形態（第六実施形態）を説明する。本実施の形態は、図１０に示すように着色コンクリート層１０２側に脚部１１を有する外層樹脂封止ＩＣタグ１０５を着色コンクリート層１０２に埋め込んでブロック成形体１０８を形成したものである。
【００２７】
図１１は、ブロック成形体１０８の製造方法を示したもので、図１１（ａ）に示すように、型枠１１１に内に脚部１１を有する外層樹脂封止ＩＣタグ１０５を配置し、ここに、図１１（ｂ）に示すように、着色コンクリート１１２および裏部コンクリート１１３を順次流し込み、硬化後型枠１１１を取り外すと、図１０に示すようなブロック成形体１０８が得られる。
【００２８】
本実施の形態では、脚部１１でもって外層樹脂封止ＩＣタグ１０５を浮かせた状態で着色コンクリート１１２を流し込むため、型枠１１１の底全体に着色コンクリート１１２を流し込むことができる。また、外層樹脂封止ＩＣタグ１０５は着色コンクリート１１２に埋め込まれているため、裏部コンクリート１０３に含まれる水分は着色コンクリート１０２側へ親和し、双方の界面の良好な接合が達成される。なお、本実施の形態においては、図４に示す中抜きされた外層樹脂封止ＩＣタグは勿論のこと、図２に示す平板上外層樹脂封止ＩＣタグも使用可能である。
【００２９】
【発明の効果】
以上説明してきたとおり、本発明の歩行者に情報を提供する歩道設置ブロックは、表面に突起を有し、その突起部に足先が触れることで歩行者を誘導するブロック成形体の内部に、送受信アンテナとＩＣチップを備え、外層樹脂封止されたＩＣタグを内蔵するものであり、ブロック成形体製造時およびブロック成形体設置後に受ける種々の悪影響（温度変化、水分の流入、加圧など）からＩＣタグを保護し、歩行者に対する安定した情報提供が可能となる。
【００３０】
また、本発明の歩行者に情報を提供する歩道設置ブロックは、送受信アンテナにより区画された面の一部が中抜きされた構造の外層樹脂封止されたＩＣタグが、着色コンクリート層と裏部コンクリート層との境界部近くに埋設されており、裏部コンクリートの水分が着色コンクリート側へ親和し、着色コンクリートと裏部コンクリートとの界面が接合した、良好なブロック成形体を得ることができる。
【００３１】
また、本発明の歩行者に情報を提供する歩道設置ブロックは、その一部を露出して、着色コンクリート層に埋設されているため、裏部コンクリートの水分は着色コンクリートへ親和し、着色コンクリートと裏部コンクリートとの界面が接合した、良好なブロック成形体を得ることができる。また、外層樹脂封止されたＩＣタグは一部を露出して埋設されているため、ブロック成形体による信号の減衰は最小限に抑えられるため、良好な情報の提供が可能となる。
【００３２】
また、本発明の歩行者に情報を提供する歩道設置ブロックは、着色コンクリート層側に脚部を有する外層樹脂封止されたＩＣタグが着色コンクリート層に埋設されているため、裏部コンクリートの水分は着色コンクリートへ親和し、着色コンクリートと裏部コンクリートとの界面が接合した、良好なブロック成形体を得ることができる。
【図面の簡単な説明】
【図１】本発明で使用されるＩＣタグの一実施の形態の説明図。
【図２】本発明で使用される外層樹脂封止ＩＣタグの一実施の形態の説明図。
【図３】本発明の歩道設置ブロックの第一実施形態の説明図。
【図４】本発明で使用される外層樹脂封止ＩＣタグの他の実施の形態の説明図。
【図５】本発明の歩道設置ブロックの第二実施形態の説明図。
【図６】本発明の歩道設置ブロックの第三実施形態の説明図。
【図７】第三実施形態の歩道設置ブロックの製造方法の説明図。
【図８】本発明の歩道設置ブロックの第四実施形態の説明図。
【図９】本発明の歩道設置ブロックの第五実施形態の説明図。
【図１０】本発明の歩道設置ブロックの第六実施形態の説明図。
【図１１】第六実施形態の歩道設置ブロックの製造方法の説明図。
【図１２】従来の歩道設置ブロックの製造方法の説明図。
【符号の説明】
１：ＩＣタグ
２：送受信アンテナ
３：ＩＣチップ
４：樹脂
５：外層樹脂封止ＩＣタグ
６：着色コンクリート層
７：裏部コンクリート層
８：ブロック成形体（歩道設置ブロック）
９：内部空間（中抜き部）
１０：嵌合部
１１：脚部
【図１】
2005030053.tif 000003
【図２】
2005030053.tif 000004
【図３】
2005030053.tif 000005
【図４】
2005030053.tif 000006
【図５】
2005030053.tif 000007
【図６】
2005030053.tif 000008
【図７】
2005030053.tif 000009
【図８】
2005030053.tif 000010
【図９】
2005030053.tif 000011
【図１０】
2005030053.tif 000012
【図１１】
2005030053.tif 000013
【図１２】
2005030053.tif 000014